(57)【要約】      （修正有）【課題】多数の包装体を積み重ねても互いの接触面がスリップすることがなく、荷崩れを起すおそれのない真空包装体を提供する。【解決手段】内容物を包装用のプラスチックフィルム２で真空包装して真空袋体１を設け、この真空袋体１の上下両面に凹凸状の滑り止め４を形成して成る。この滑り止め４はプレス板による押圧あるいはあらかじめ凹凸部を形成したプラスチックフィルム２にて内容物を真空包装することによって形成する。【選択図】図１
2007153387.tif 000002
【特許請求の範囲】
【請求項１】
内容物を包装用のプラスチックフィルムで真空包装して袋体を設け、この袋体の上下両面に凹凸状の滑り止めを形成したことを特徴とする真空包装体。
【請求項２】
内容物を真空包装した袋体の上下両面に、凹凸部付きのプレス板を上下から押圧することによって凹凸状の滑り止めを形成することを特徴とする請求項１記載の真空包装体。
【請求項３】
包装用プラスチックフィルムの表面にあらかじめ凹凸部を設け、このプラスチックフィルムで内容物を真空包装することによって袋体の上下両面に凹凸状の滑り止めを形成することを特徴とする請求項１記載の真空包装体。
【発明の詳細な説明】
【技術分野】
【０００１】
本発明は、内容物を包装用のプラスチックフィルムで真空包装して成る真空包装体に関する。
【背景技術】
【０００２】
従来より、内容物を包装用のプラスチックフィルムで真空包装したものは広く知られている。
【０００３】
例えば、内容物として、酸化や吸湿しやすい食品、薬品、化学品、肥料等を包装する場合、高密度ポリエチレン、ポリプロピレン、塩化ビニル、ポリエチレン、ポリカーボネート等から成るガスバリア性の強いプラスチックフィルムを使って真空包装することは一般的に行なわれている。
【特許文献１】特に無し
【発明の開示】
【発明が解決しようとする課題】
【０００４】
しかしながら、内容物が大きな固形物や不定形物等の場合は問題ないが、粉状物や粒状物のように流動性を有するものをプラスチックフィルムで真空時包装した場合は、内容物の表面にプラスチックフィルムが収縮して吸着されることによって当該内容物の表面が平滑に均らされるとともに、袋体の表面が硬く変化する。
【０００５】
その結果、運搬や保管時に多数の真空袋体を積み重ねた際、プラスチックフィルム自体が持つ表面の平滑性と相俟って、互いの接触面がスリップすることによって、上層の袋体が滑り落ち、荷崩れを起すおそれがある。
【０００６】
そこで、本発明は、叙上のような従来存した問題点に鑑みなされたもので、多数の真空袋体を積み重ねても、互いの接触面がスリップすることがなく、荷崩れを起すおそれのない真空包装体を提供することを目的とする。
【課題を解決するための手段】
【０００７】
上述した課題を解決するため、本発明の請求項１にあっては、内容物を包装用のプラスチックフィルムで真空包装して袋体を設け、この袋体の上下両面に凹凸状の滑り止めを形成したことを特徴とする。
【０００８】
請求項２にあっては、内容物を真空包装した袋体の上下両面に、凹凸部付きのプレス板を上下から押圧することによって凹凸状の滑り止めを形成することを特徴とする。
【０００９】
請求項３にあっては、包装用プラスチックフィルムの表面にあらかじめ凹凸部を設け、このプラスチックフィルムで内容物を真空包装することによって袋体の上下両面に凹凸状の滑り止めを形成することを特徴とする。
【発明の効果】
【００１０】
本発明は、以上のように構成されるものであるから、請求項１にあっては、運搬や保管時に多数の真空袋体を積み重ねても、上下袋体における互いの接触面に設けられた凹凸状の滑り止め同志が互いに噛み合うことで横崩れが防止できる。その結果、下層の袋体上に載せられている上層の袋体が滑り落ち、荷崩れを起すおそれがないものである。
【００１１】
また、請求項２にあっては、真空包装後の袋体の上下両面に凹凸部をプレス加工することで容易、確実に滑り止めを形成することができる。
【００１２】
さらに、請求項３にあっては、あらかじめ包装用プラスチックフィルムの表面に凹凸部を形成しておき、このプラスチックフィルムの内部に内容物を充填して真空包装するだけで上下両面に滑り止めをそれぞれ備えた真空包装体を容易、確実に形成することができる。
【発明を実施するための最良の形態】
【００１３】
以下、図面を参照して本発明を実施するための最良の一形態を説明すると、図において示される符号１は、内容物３を包装用のプラスチックフィルム２で真空包装して成る真空袋体であり、この真空袋体１の上下両面には凹凸状の滑り止め４が形成されている。
【００１４】
真空袋体１を形成する包装用プラスチックフィルム２としては、高密度ポリエチレン、ポリプロピレン、塩化ビニル、ポリエチレン、ポリカーボネート、ポリエチレンテレフタレート、ポリビニルアルコール等々のようなガスバリア性の強い素材のものが用いられる。このようなプラスチックフィルムを一層でもよいが、二層以上の多層体として利用することもできる。
【００１５】
こうした素材にて形成される真空袋体１内に充填される内容物３としては、酸化や吸湿しやすい粉状あるいは粒状の食品、薬品、化学品、肥料等が好適である。
【００１６】
例えば、真空袋体１内部には、食品として５ｋｇあるいは１０ｋｇの米３ａが充填されており、その上下両面はだいたい平坦部に形成されるとともに、該平坦部のほぼ全体に所定の等間隔を置いて、凹凸状の滑り止め４が形成されている。
【００１７】
この滑り止め４は、図３に示したように、対向する上下両面に凹凸部５ａを備えた２個一対のプレス板５によって形成する。すなわち、同図に示したように、下側のプレス板５の凹凸部５ａの上面に内容物３の入った真空袋体１を載置し、この真空袋体１の上面に、上側のプレス板５の凹凸部５ａの下面を当て当該プレス板５を降下させて真空袋体１を上方から押圧する。
【００１８】
斯くして、真空袋体１の上下両面の平坦部に、プレス板５の凹凸部５ａと対応するように、凹凸状の滑り止め４が形成される（図５参照）。この滑り止め４は内容物３とともに真空袋体１の表面側が硬化しているため形崩れをすることが少ない。
【００１９】
ところで、真空袋体１の上下両面に凹凸状の滑り止め４を形成するには、前記した凹凸部５ａ付きのプレス板５を使って上下から真空袋体１を押圧する手段に限られるものではない。
【００２０】
例えば、あらかじめ包装用プラスチックフィルム２の表面に凹凸部を設け、このプラスチックフィルム２を利用して上下両面の平坦部に滑り止め４を有する真空袋体１を形成することもできる。
【００２１】
なお、真空袋体１の上下両面に形成される滑り止め４の平面形状は、図１に示すように円形でも、また、図５に示すように矩形、その他でもよい。さらに、滑り止め４の大きさ、高さ等も滑り止めの機能を有する範囲内で任意に設定できる。
【００２２】
而して、以上のように構成される真空袋体１を多数、運搬や保管時に積み重ねると、上下の真空袋体１における互いの接触面に設けられた凹凸状の滑り止め４同志が互いに噛み合うことで横崩れが防止でき、これによって上層の真空袋体１は安定するため滑り落ち、荷崩れを起すことが少ない。
【図面の簡単な説明】
【００２３】
【図１】本発明に係る真空包装体を示す斜視図である。
【図２】同上のＡ−Ａ矢視断面図である。
【図３】同上の滑り止めをプレス成形する説明図である。
【図４】同上のプレス成形によって滑り止めが形成された製品の説明図である。
【図５】他の実施形態を示す斜視図である。
【符号の説明】
【００２４】
１    真空袋体
２    包装用プラスチックフィルム
３    内容物
４    滑り止め
５    プレス板
５ａ  凹凸部
【図１】
2007153387.tif 000003
【図２】
2007153387.tif 000004
【図３】
2007153387.tif 000005
【図４】
2007153387.tif 000006
【図５】
2007153387.tif 000007